(57)【要約】      （修正有）【課題】作業服の背中に安全器具に設けられている係止具を挿通可能とする開孔を形成し、安全器具を身体に装着した状態でも作業服を着用でき、しかも安全器具の係止具を作業服に形成した開孔部から取り出し易くする作業服を提供する。【解決手段】前身頃２と後身頃３を少なくとも備え、該後身頃の幅方向中央部に作業者が装着した安全器具の係止具を挿通可能とする開孔６が形成された作業服１であって、前記開孔には、該開孔の内側に弾性体で構成された裏当材が設けられており、該裏当材には、前記開孔とほぼ同じ位置に第二開孔が形成されていることを特徴とする。【選択図】図１
0003210551.tif 000002
【実用新案登録請求の範囲】
【請求項１】
前身頃と後身頃を少なくとも備え、該後身頃の幅方向中央部に作業者が装着した安全器具の係止具を挿通可能とする開孔が形成された作業服であって、
前記開孔には、該開孔の内側に弾性体で構成された裏当材が設けられており、該裏当材には、前記開孔とほぼ同じ位置に第二開孔が形成されていることを特徴とする作業服。
【請求項２】
前記裏当材は、その開孔が前記後身頃に形成された前記開孔部の開孔幅よりも短い開孔幅とされていることを特徴とする請求項１記載の作業服。
【請求項３】
前記裏当材は第１裏当材と第２裏当材の２枚の弾性体で構成され、前記第１裏当材と、前記第２裏当材は互いに一部が上下で重なりあっていることを特徴とする請求項１又は３記載の作業服。
【請求項４】
前記裏当材は、ゴム材で構成されていることを特徴とする請求項１ないし３記載の作業服。
【考案の詳細な説明】
【技術分野】
【０００１】本考案は屋内、あるいは屋外の高所で作業を行う作業者が着用する作業服に関する。
【背景技術】
【０００２】作業者は、一般的に作業服を着用して作業を行うが、特に高所で作業を行う場合は、安全ベルトなどの安全器具を装着して作業を行うようになっている。
【従来技術】
【０００３】作業者は、一般的に作業服などを着用して作業をしているが、高所作業者は安全器具を装着して作業するため作業服を着用することが難しい、という問題があった。
例えば、空冷ファン付き作業服や防寒用の作業服を安全器具の上から着用するとき、安全器具の係止具を後身頃に形成された開孔部に挿通することなどが一人でするのが難しかった。
このため、開孔を広くして安全器具の係止具を出しやすくしたりしている。
そうすると  開孔部から風など外気が入り易くなり、冬場においては冷風が入るという問題がある。
また夏場においては、特に空冷ファン付の作業服の場合には、冷風が逃げてしまうという問題があった。
【考案の概要】
【考案が解決しようとする課題】
【０００４】本考案は、上記説明した問題点を解決し、作業服の背中に安全器具に設けられている係止具を挿通可能とする開孔を形成し、安全器具を身体に装着した状態でも作業服を着用でき、しかも安全器具の係止具を作業服に形成した開孔部から取り出し易くすることを課題とする。
【課題を解決するための手段】
【０００５】本考案は、前記課題を解決するため、前身頃と後身頃を少なくとも備え、該後身頃の幅方向中央部に作業者が装着した安全器具の係止具を挿通可能とする開孔が形成された作業服であって、前記開孔には、該開孔の内側に弾性体で構成された裏当材が設けられており、該裏当材には、前記開孔とほぼ同じ位置に第二開孔が形成されていることを特徴とする。
【考案の効果】
【０００６】本考案は、前身頃と後身頃を少なくとも備え、該後身頃の幅方向中央部に作業者が装着した安全器具の係止具を挿通可能とする開孔部が形成された作業服であって、前記開孔部には、該開孔部の内側にこの開孔とほぼ同じ位置に第二開孔を有する伸縮性を備えた弾性体で構成された裏当材が設けられているため係止具を出し入れする開孔からの空気の流出、あるいは流入が防止できる。このため、冬場においては冷風が入ることが防止できる。
また、夏場においては、特に空冷ファン付の作業服の場合には、冷風が逃げてしまうということが防止できる。【０００７】また、裏当材は弾性体で構成されているため、該裏当材の開孔を後身頃の開孔部の開孔幅よりも短くして空気の出入りを抑えるようにしても裏当材の開孔が拡がって係止具の出し入れを阻害することがなくなる。
さらに、裏当材を第１裏当材と第２裏当材との上下２枚の弾性体で構成し、この両者を上下で一部重なり合わせることで開孔からの空気の出入りをさらに抑えることができるという効果がある。【０００８】さらに、裏当材を伸縮性のあるゴム材で構成すれば、空気の出入りが防止できるとともに、係止具も、裏当材が伸びて第二開孔が拡がるため、出し入れが容易となる。
【図面の簡単な説明】
【０００９】
【図１】作業服を後ろから見た図。
【図２】図１の開孔部の拡大図。
【図３】作業服の内側から安全器具のフックを挿通する状態を示す斜視図。
【図４】図１のＡ−Ａ断面図。
【図５】作業者が身体に安全器具を装着した後面図。
【考案を実施するための形態】
【実施例】
【００１０】本考案を実施するための考案について図面に基づいて説明する。
図１は、作業服１を示す。この作業服１は、前身頃２と後見頃３とを備え、さらに腕が挿通される袖口４、首が挿通される襟口５とが設けられている。【００１１】前記後見頃３には、図２で示すように幅方向の中央上部に開孔６が形成されている。この開孔６は、その周囲が玉縁仕上げ７されており、これによって見栄えが損なわれることなく、また、この玉縁仕上げ７によって作業服１の内側から外側へ空気が抜け難くなっている。【００１２】図３は、前記開孔６部分において、裏側から安全器具１１の係止具であるフック１６を挿通させる状態を示す。そして、この開孔６の裏側には裏当材８が縫いつけられている。
この裏当材８は、四角形状でゴム材などの弾性体と補強布８ｃで構成されている。
この裏当材８は、第１裏当材８ａと第２裏当材８ｂとで構成され、この両者は、上下に配置されている。さらに、この第１裏当材８ａと第２裏当材８ｂは、上下で一部、例えば７〜８ｍｍ程度重なり合っている。
なお、第１裏当材８ａと第２裏当材８ｂとは、その周囲を補強布８ｃで補強されている。【００１３】前記した裏当材８の第１裏当材８ａと第２裏当材８ｂとは、左右方向の二ヶ所に開孔止め９、９が設けられている。
この開孔止め９、９は、第１裏当材８ａと第２裏当材８ｂとを糸で縫いつけることで所定幅、例えば後身頃３に形成された開孔６の左右方向の開孔幅よりも短い第二開孔１２が形成されている。【００１４】この場合、裏当材８がゴム等の弾性体で構成されているため、安全器具１１の係止具であるフック１６の幅が前記第二開孔１２の幅より大きくても、第二開孔１２が弾力で拡がるためフック１６を容易に挿通させることができる。なお、この第二開孔１２は、前記開孔６とほぼ同じ位置に設けられている。【００１５】図５は、作業者が安全器具１１を装着した状態を示す。そして、この安全器具１１を装着した状態で作業服１を着用する際に、安全器具１１から延びるロープ１３の先端に設けられた前記フック１６を裏当材８の第二開孔１２、開孔６を経て作業服１の外側へ引き出すことができる。【００１６】この引き出されたフック１６は、高所で作業者が作業を行なう際に、転落を防止するために安全対策用の安全ワイヤー等に係止される。【００１７】上記実施例では、作業服１に安全器具１１の係止具であるフック１６を挿通可能とする開孔を形成したが、作業服１に限定されるものではない。つまり、高所で作業を行う際に安全器具１１のフック１６を安全ワイヤーなどに係止させて作業を行うようなときに着用する作業服１であれば良く、実施例のような作業服１、或いは半袖タイプなど、ベストタイプ、合羽タイプなど種々の作業服１に適用できるものである。
【符号の説明】
【００１８】１・・・・・・作業服
２・・・・・・前身頃
３・・・・・・後身頃
４・・・・・・袖口
５・・・・・・襟口
６・・・・・・開孔
７・・・・・・玉縁仕上げ
８・・・・・・裏当材
８ａ・・・・・第１裏当材
８ｂ・・・・・第２裏当材
８ｃ・・・・・補強布
９・・・・・・開孔止め
１１・・・・・安全器具
１２・・・・・第二開孔
１３・・・・・ロープ
１６・・・・・フック
【図１】
0003210551.tif 000003
【図２】
0003210551.tif 000004
【図３】
0003210551.tif 000005
【図４】
0003210551.tif 000006
【図５】
0003210551.tif 000007
【手続補正書】
【提出日】平成29年3月7日(2017.3.7)
【手続補正１】
【補正対象書類名】実用新案登録請求の範囲
【補正対象項目名】全文
【補正方法】変更
【補正の内容】
【実用新案登録請求の範囲】
【請求項１】
前身頃と後身頃を少なくとも備え、該後身頃の幅方向中央部に作業者が装着した安全器具の係止具を挿通可能とする開孔が形成された作業服であって、
前記開孔には、該開孔の内側に弾性体で構成された裏当材が設けられており、該裏当材には、前記開孔とほぼ同じ位置に第二開孔が形成されていることを特徴とする作業服。
【請求項２】
前記裏当材は、その開孔が前記後身頃に形成された前記開孔部の開孔幅よりも短い開孔幅とされていることを特徴とする請求項１記載の作業服。
【請求項３】
前記裏当材は第１裏当材と第２裏当材の２枚の弾性体で構成され、前記第１裏当材と、前記第２裏当材は互いに一部が上下で重なりあっていることを特徴とする請求項１又は２記載の作業服。
【請求項４】
前記裏当材は、ゴム材で構成されていることを特徴とする請求項１ないし３のいずれか１項に記載の作業服。